(57)【要約】【課題】  家具の可動部品の開閉動作を容易にするようになったラッチを持つ家具用開閉装置即ちラッチを提供する。【解決手段】  本ラッチ装置は、容器（５１）を含む。この容器では、ばね（５３）によって並進態様で制御されるスライダー（５２）がガイド（６０）に挿入されている。スライダーは、扉に配置されたフックエレメント（５９）を捕捉するためのフック（６８）を備えている。ガイド（６０）の一方の側に設けられた、底部がカムのプロファイルを画成する軌道（４０）に沿って、スライダー（５２）に配置されたボール（７３）が移動する。このボールは、ばね（７２）によって軌道（４０）の底部に押し付けられており、軌道でのボールの位置に従って扉の四つの位置、即ち開放位置、閉鎖位置、解放位置、及びロック位置を決定する。【選択図】  図１
2007508479.tif 000002
【特許請求の範囲】
【請求項１】
家具の可動部品（５８）の家具（５７）に関する開放及び／又は閉鎖を容易にするようになった、内部キャビティを画成する、少なくとも一つの開放側を持ち、摺動ガイド（６０、９０）を含む容器（５１、８１）を含む、開閉ラッチ装置（Ｔ）において、
前記摺動ガイドに配置され、第１端にフック（６８）を有し、前記可動部品（５８）と一体のフックエレメント（５９）を捕捉するのに適した、摺動エレメント（５２）、
前記摺動エレメント（５２）に弾性力を及ぼすように前記摺動エレメント（５２）と前記容器（５１）との間に配置された、前記摺動エレメント（５２）を摺動させるのに適した、前記容器（５１）に作用を及ぼす弾性エレメント（５３）、
前記摺動ガイド（６０、９０）の一方の側に配置された、底部の表面がカム経路を画成し、平面レイアウトが閉じた幾何学的図形を画成する軌道（４０）及び、
前記摺動エレメント（５２）と一体の、前記可動部品（５８）の解放位置、係止位置、及び二つの中間開放位置及び中間閉鎖位置と対応する前記摺動エレメント（５２）の多数の位置を画成するように前記カム経路に沿って移動するのに適した、タペット手段（７３）を含み、
前記摺動ガイド（６０、９０）は、前記可動部品（５８）と前記家具（５７）との間で開閉移動が行われる方向に関して角度（α）で傾斜している、ことを特徴とするラッチ装置。
【請求項２】
前記容器（５１、８１）は本質的に三角形形状の挿入体（５０）を含み、この挿入体の一方の側が前記摺動ガイド（６０、９０）の側部を画成する、請求項１に記載のラッチ装置。
【請求項３】
前記軌道（４０）は、前記摺動ガイド（６０、９０）の、前記挿入体（５０、８０）によって形成された側部に設けられている、請求項２に記載のラッチ装置。
【請求項４】
前記容器（５１）は前記キャビティの側部の一方を形成するカバー（５４）及びベースを有し、このベースには、前記カバーを前記ベースに接合するのに適した連結手段（７６）が設けられている、請求項３に記載のラッチ装置。
【請求項５】
前記タペット手段は、前記軌道（４０）の底部にばね（７２）によって押し付けられた状態に保持されるボール（７３）で形成されている、請求項４に記載のラッチ装置。
【発明の詳細な説明】
【技術分野】
【０００１】
本発明は、家具の可動部品の開閉動作を容易にするようになったラッチを持つ家具用開閉装置に関する。簡単のため、これをラッチとも呼ぶ。
【背景技術】
【０００２】
知られているラッチは、それらの設計用途に従って家具や引出しの扉の開閉を容易にする機能を備えている。これらのラッチは、閉鎖動作中、これに逆らう僅かな力を発生し、この力が弾性エレメントに蓄えられる。弾性エレメントは、逆の開放作業を行うとき、次の工程でラッチを解放できる。
【０００３】
ラッチを使用して引出しや扉の開放を容易にする場合、引出しや扉は、ラッチから取り外すことができるか或いはラッチと一体の例えばフックや磁石等の適当な、知られている装置によって閉鎖位置に維持される。
【０００４】
引出しや扉を開放するためには、先ず最初に僅かなスラストを引出しや扉に加えてラッチを解放することが必要とされる。ラッチは、閉鎖作業中に蓄えられた弾性エネルギを解放し、一般的にはばねによって発生された力を引出しに開放方向に及ぼす。これらの装置の利点は、美観等の理由のために必ずしも歓迎されないハンドル等の掴みエレメントを引出しで使用しないようにできるということである。
【０００５】
一般的には、ラッチを構成するエレメントの一つの部品が、引出しが属する家具の固定エレメントに配置され、別の部品が引出し自体に配置される。更に、これらは多数のエレメントによって構成されており、経験の足りない者では組み立てが困難である。
【０００６】
このような知られているラッチは、ドイツ国特許第ＤＥ２９５０７９１７Ｕ号、ドイツ国特許第ＤＥ３８１６０９１号、ドイツ国特許第ＤＥ１９７５３３１９号、及びドイツ国特許第ＤＥ１０００８３５０号の文献に記載されている。しかしながら、これらは製造及び取り付けが複雑な装置であり、これらの装置の幾つかは長期に亘る作動を保証するには余りに壊れ易い。
【特許文献１】ドイツ国特許第ＤＥ２９５０７９１７Ｕ号
【特許文献２】ドイツ国特許第ＤＥ３８１６０９１号
【特許文献３】ドイツ国特許第ＤＥ１９７５３３１９号
【特許文献４】ドイツ国特許第ＤＥ１０００８３５０号
【発明の開示】
【発明が解決しようとする課題】
【０００７】
従って、本発明の主な目的は、上述の問題点を簡単であり且つ安価な方法で解決した、コンパクトであり且つ丈夫であり、家具、特に扉への適用が容易なラッチを提供することである。
【課題を解決するための手段】
【０００８】
従って、本発明は、請求項１に記載の特徴を備えたラッチを製造することによって上述の問題点を解決する。
【０００９】
詳細には、本発明は、スライダーに設けられた一つ又はそれ以上のばねが発生する外力の作用によってロック及び解放を行うことができるラッチに関する。スライダーは、外閉鎖力が加えられる方向に関してゼロでない角度で傾斜した、家具の固定部品と一体のガイドに沿って並進させるのに適しており、家具の可動部品によって捕捉されるフックを備えている。更に、実行されている機能に従ってスライダーをロックし又は解放するのに適したエレメントがスライダーと容器との間に配置されている。
【００１０】
本発明の解決策により、ラッチは、引出しや家具の扉に簡単に適用できる簡単でコンパクトな構造を有し、かくして部品に関する正確な位置が保証され、及び従って、その正しい動作が保証される。更に、特殊な構造を使用せずに取り付けを迅速に且つ容易に行うことができるという特徴を備えている。
【００１１】
ラッチ装置は、更に、丈夫でありこれが固定された家具エレメントから脱落する危険なしに固定される。ラッチは、更に、引出しを完全に開放するために手で容易に掴むことができるようにするか或いは、必要であれば、この作用を完全になくすのに十分な開放移動を制御できる圧縮ばね又は等価の弾性手段を備えている。
【００１２】
従属項には、本発明の好ましい実施例が記載してある。
【００１３】
本発明の特徴及び利点は、非限定的例として提供されたラッチの好ましいけれども排他的でない実施例の詳細な説明を添付図面を参照して読むことにより更に明らかになるであろう。
【発明を実施するための最良の形態】
【００１４】
添付図面を参照すると、全体に参照符号Ｔを付したラッチ装置が示してある。このラッチ装置は、必ずしも必要ではないが、その一方の部品が家具５７の適当な構造に固定されており、その別の部品が扉５８に固定されている。しかしながら、本発明の範囲から逸脱することなく、ラッチを形成する二つの部品が固定される家具部品を運動学的に逆にできる。
【００１５】
ここに詳細には説明しない適当な手段で家具５７に固定されるようになったラッチＴの部品は、摺動ガイド６０を画成する第１溝即ち長さ方向キャビティを含むボックス即ち容器５１を含む。ガイド６０には、スライダー５２、一端が肩部即ちガイド端部に当たり且つ他端がスライダー５２に当たったコイルばね５３又は同様のばねが設けられる。スライダーには、ばね５３との接触を改善するため、シャンク６５が設けられている。容器５１は、ガイド６０の開放した側部を閉鎖するためのカバー５４を有する。
【００１６】
有利な実施例では、容器の部品には、本質的に三角形形状の挿入体５０が含まれる。この挿入体は、製造及び組み立てを容易にするため、ガイド６０の一方の側、又は一方の側の部分を形成する。しかしながら、挿入体５０は、容器５１を一部品で形成する別の態様では無くしてもよい。ガイド６０は、スライダー５２に作用する力Ｆが加えられる方向に関して所定角度αで傾斜している。この角度は、開放されるべき扉又は家具部品に従って決定される。
【００１７】
ガイド６０の側部には、軌道４０を画成する第２溝が設けられている。この溝は、領域によって深さが異なり、カムプロファイルの経路を画成する。スライダー５２には、更に、底部が閉鎖した矩形形状の座７１が設けられ、Ｖ形状に曲げた平ばね７２がここに配置されている。このばねの外方に面する側にはボール７３が当たる。平ばね７２は、かくして、ボール７３を軌道４０の底部に向かって押し、これを経路に沿って移動する。第３溝６７により、ばね７２をその座７１に取り付けるのが容易になる。
【００１８】
軌道４０は、底部の厚さが変化し、ステップ２８で終端する傾斜ランプを形成する比較的長い長さ方向区分２７を含む。ステップ２８は、長さ方向区分２７を平面内で僅かに湾曲した横方向区分２９から分離するリミットを形成する。横方向区分２９の底部は、僅かに食い違った二つのレベル２９’、２９’’を持つ二つの区分を有する。深い方の区分２９’’には、球形キャップの形状の座３０が設けられている。比較的短い長さ方向第２区分３１が区分２７と平行に延びている。長さ方向第２区分３１は、区分３２によって区分２７の前部分に接合されている。区分３２は底部が傾斜しており、その端部の短い傾斜ランプ３３が、区分２７との連結点に位置決めされ、別のステップ３４を形成する。
【００１９】
図８は、ラッチの四つの位置を示し、開放位置とロック位置との間の、及び再度開放位置での作動を示す。これらの位置には参照符号ａ）、ｂ）、ｃ）、ｄ）が付してあり、カバーの軌道に沿ったボール７３の四つの対応する部分を画成する。ここでは、位置は挿入体５０の表面を通した透過図で示してある。位置ａ）では、フック６８は最外位置にあり、及び従って、フックエレメント５９及びこれに連結された扉を自由に移動できる。扉５８を閉鎖位置に向かって押すと、フックエレメント５９がフック６８に力Ｆで当たり、ガイド６０の軸線と平行な力の成分がスライダー５２をガイド６０の内側で押し、ばね５３を圧縮し、図２に示す位置に達する。
【００２０】
この摺動中、フック６８がフックエレメント５９のフック縁部６２と係合してこれを捕捉する。この時点でボール７３は、ステップ３４によって邪魔されるために区分３２に沿って移動できず、ランプ２７に沿って移動し、ステップ２８を越える。ここで、Ｖ形状ばね７２のシャンクの傾斜により、ボールは、球状キャップの形態の座３０に入るまで区分２９の最も深い部分２９’’に沿って押され、位置ｃ）でロックされる。この位置では、スライダー５２は溝内を摺動できず、フック６８がフックエレメント５９をロックし、その結果、家具部品は、外力が加わっていない場合でもその閉鎖位置でロックされたままである。
【００２１】
扉又は引出しを開放する作業は、以下の方法で行われる。扉の閉鎖方向に僅かなスラストを加え続けた後、ボール７３が座３０から区分２９の最も浅い部分２９’に向かって移動し、ばね７２がこれを位置ｄ）に押し込む。家具部品に加えられた外力を取り除くことによって、コイルばね５３がスライダー５２を外側に向かって押し、ボール７３が区分３１及び３２に沿って移動し、ランプ３３及びステップ３４を越え、初期位置ａ）に戻る。ここで、家具部品は解放される。
【００２２】
有利には、フックエレメントは、フック縁部６２を、場合によっては型成形プロセスによって容易に形成されるように、平らな両面に向かって部分的に開放したキャビティ６１によって構成できる。底部６３は、ラッチを作動させるとき、フック６８のスラストエレメントを構成し、フック６８が、図２及び図６に示すように、フック縁部６２の後方に位置決めされるまで、フックを斜め移動と組み合わさって角度αの傾斜方向で摺動させる。
【００２３】
カバー５４には、更に、容器５１の対応する穴７５に収容されるのに適したシャンク７６が設けられている。これにより、これらの二つの部品を一体に組み立てることができる。
【００２４】
本発明に従って形態が定められたラッチの一実施例を図６及び図７に示す。容器８１は、摺動ガイド９０が内側に配置された本質的に中空の台形形状を有する。容器の側部は一方が開放しており、ラッチの取り付け位置では、この側部は三角形挿入体８０によって閉鎖される。この挿入体の一方の側部がガイド９０の側部を画成する。三角形挿入体８０は、更に、適当な基準ストップ８４で家具に載止する機能を有する。有利には、必要ではないけれども、トラック４０は、三角形挿入体８０の一つの側部に設けることができる。このエレメントは、知られている種類の固定手段（図示せず）によって容器８１に適当に固定される。
【００２５】
以上の説明から、本発明のラッチ装置は、構成要素の数が最少であり、組み立てが容易であり、経験の足りない者でも家具に難なく取り付けることができるということが明らかである。
【００２６】
ここに説明した特定の実施例は、本願の内容を制限するものではなく、本願は、特許請求の範囲に定義された本発明の全ての実施例を含む。
【図面の簡単な説明】
【００２７】
【図１】本発明のラッチ装置の第１作動位置での側面図である。
【図２】図１のラッチ装置の第２作動位置での側面図である。
【図３】図１のラッチ装置の分解斜視図である。
【図４】図１のラッチ装置を形成するエレメントの斜視図である。
【図５】図１のラッチ装置を形成するエレメントの斜視図である。
【図６】本発明のラッチ装置の一実施例の側断面図である。
【図７】図６のラッチ装置の分解斜視図である。
【図８】本発明によるラッチの四つの異なる作動状態を示す図である。
【符号の説明】
【００２８】
２７  長さ方向区分
２８  ステップ
２９  横方向区分
３０  座
３１  長さ方向第２区分
３２  区分
３３  傾斜ランプ
３４  ステップ
４０  軌道
５０  三角形形状挿入体
５１  ボックス即ち容器
５２  スライダー
５３  コイルばね
５４  カバー
５７  家具
５８  扉
５９  フックエレメント
６０  摺動ガイド
６１  キャビティ
６２  フック縁部
６３  底部
６５  シャンク
６７  第３溝
６８  フック
７１  座
７２  平ばね
７３  ボール
７５  穴
７６  シャンク
Ｔ  ラッチ
【図１】
2007508479.tif 000003
【図２】
2007508479.tif 000004
【図３】
2007508479.tif 000005
【図４】
2007508479.tif 000006
【図５】
2007508479.tif 000007
【図６】
2007508479.tif 000008
【図７】
2007508479.tif 000009
【図８】
2007508479.tif 000010
【国際調査報告】
2007508479.tif 000011
2007508479.tif 000012
2007508479.tif 000013